(57)【要約】【課題】より容易に視認者が直接視認する像と連続して死角領域の像を映すことが可能であり、また、歪みのない像を映すことが可能となる。【解決手段】死角補助装置１００は、一対の平行平面ミラー１１０を収納し、互いに対向する内側天壁部１２１ｂ及び内側底壁部１２１ｃと内側天壁部１２１ｂ及び内側底壁部１２１ｃに複数形成される切り欠き部１２１ｆとを有する後ケース１２１と、内側天壁部１２１ｂ及び内側底壁部１２１ｃの外側を覆う外側天壁部１２２ｂ及び外側底壁部１２２ｃを有する前ケース１２２と、を備えるケース体１２０を備える。平面ミラー１１２は、切り欠き部１２１ｆから外側に突出する複数の突出部１１２ａを有し、前ケース１２２は、外側天壁部１２２ｂ及び外側底壁部１２２ｃに突出部１１２ａと当接して後ケース１２１に押圧する複数の切り欠き部１２２ｄを備えてなる。【選択図】図４
2016026945.tif 000002
【特許請求の範囲】
【請求項１】
障害物によって遮られる死角領域の像を映す死角補助装置であって、
前記像を表す光を入射し、視認者側に設けられ光の一部を反射し一部を透過する半透過ミラーと、光を前記半透過ミラーへ反射するミラーとが互いに対向するように配置される一対のミラーと、
前記一対のミラーを収納し、互いに対向する一対の内壁部と前記一対の内壁部に複数形成される切り欠き部とを有する第一のケースと、前記一対の内壁部の外側を覆う一対の外壁部を有する第二のケースと、を備えるケース体と、を備え、
前記一対のミラーの一方は、前記一対の内壁部の間に配置され、前記切り欠き部から外側に突出する複数の突出部を有し、
前記第二のケースは、前記一対の外壁部に前記突出部と当接して前記第一のケースに押圧する複数の第一の当接部を備えてなることを特徴とする死角補助装置。
【請求項２】
前記一対のミラーの他方は、前記一対の内壁部の解放端部に配置され、
前記第二のケースは、前記一対のミラーの他方の周縁部を前記一対の内壁部の解放端部と狭持する第二の当接部を備えてなることを特徴とする請求項１に記載の死角補助装置。
【請求項３】
前記第一の当接部は、切り欠き部からなることを特徴とする請求項１に記載の死角補助装置。
【請求項４】
前記第二の当接部は、前記一対の外壁部に設けられる段差部あるいは前記一対の外壁部の間に設けられる壁部からなることを特徴とする請求項２に記載の死角補助装置。
【請求項５】
前記一対の内壁部の少なくともいずれかに設けられ、前記一対のミラーの一方が有する角部と対向するミラー押さえ部を備えてなることを特徴とする請求項１に記載の死角補助装置。
【請求項６】
前記一対の内壁部に設けられ、前記切り欠き部の少なくとも一部を外側から覆うリブ部を備えてなることを特徴とする請求項１に記載の死角補助装置。
【請求項７】
前記第二のケースを前記第一のケースに対して固定する複数の係止部を備え、
前記第一の当接部は、前記複数の係止部のうち２つの間に位置することを特徴とする請求項１に記載の死角補助装置。
【発明の詳細な説明】
【技術分野】
【０００１】
本発明は、車両内のフロントピラーなどの障害物によって遮られる死角領域の像を映す死角補助装置に関する。
【背景技術】
【０００２】
従来、車両内のフロントピラーなどの障害物によって生じる死角を映す視認装置として、例えば、特許文献１に開示されたものが知られている。この視認装置は、車両前方を映す第１ミラーと、この第１ミラーに入射した光を運転者側に反射させる第２ミラーを備え、車両のフロントピラーを挟む直接視認エリアを通して運転者が見える像と前記第２ミラーに映る像が連続するように、前記第１ミラー及び／または前記第２ミラーを調整可能に構成したものである。
【先行技術文献】
【特許文献】
【０００３】
【特許文献１】特開２００６−２３１９９８号公報
【発明の概要】
【発明が解決しようとする課題】
【０００４】
しかしながら、特許文献１に係る視認装置では、運転者から見て第２ミラー及び風景を遮らないように第１，第２ミラーの互いの位置関係を調整する必要があり、設置作業や調整作業が煩雑であるという問題点があった。また、製造時にミラーの歪みが生じると像にも歪みが生じるという問題点があった。
【０００５】
本発明は、上記問題点に鑑みてなされたものであり、より容易に視認者が直接視認する像と連続して死角領域の像を映すことが可能であり、また、歪みのない像を映すことが可能な死角補助装置を提供することを目的とする。
【課題を解決するための手段】
【０００６】
上記目的を達成するため、本発明に係る死角補助装置は、障害物によって遮られる死角領域の像を映す死角補助装置であって、
前記像を表す光を入射し、視認者側に設けられ光の一部を反射し一部を透過する半透過ミラーと、光を前記半透過ミラーへ反射するミラーとが互いに対向するように配置される一対のミラーと、
前記一対のミラーを収納し、互いに対向する一対の内壁部と前記一対の内壁部に複数形成される切り欠き部とを有する第一のケースと、前記一対の内壁部の外側を覆う一対の外壁部を有する第二のケースと、を備えるケース体と、を備え、
前記一対のミラーの一方は、前記一対の内壁部の間に配置され、前記切り欠き部から外側に突出する複数の突出部を有し、
前記第二のケースは、前記一対の外壁部に前記突出部と当接して前記第一のケースに押圧する複数の第一の当接部を備えてなることを特徴とする。
【発明の効果】
【０００７】
本発明によれば、より容易に視認者が直接視認する像と連続して死角領域の像を映すことが可能となり、また、歪みのない像を映すことが可能となる。
【図面の簡単な説明】
【０００８】
【図１】本発明の第一の実施形態に係る死角補助装置が配置される車両の運転席付近の概観を示す図である。
【図２】同上死角補助装置の概観を示す平面図である。
【図３】同上死角補助装置の一対のミラーを示す斜視図である。
【図４】同上死角補助装置を示す分解斜視図である。
【図５】同上死角補助装置を示す断面図である。
【図６】本発明の第二の実施形態に係る死角補助装置を示す断面図である。
【図７】本発明の第一の実施形態の変形例に係る死角補助装置の後ケース及び平面ミラーを示す図である。
【図８】同上死角補助装置のケース体を示す斜視図である。
【図９】同上死角補助装置を示す斜視図である。
【発明を実施するための形態】
【０００９】
本発明の一実施形態に係る死角補助装置を、図面を参照して説明する。
【００１０】
図１は第一の実施形態に係る死角補助装置１００が配置される車両１の運転席付近の概観を示す図である。車両１は、図１に示すように、ステアリング１０と、ウインドシールドガラス２０と、サイドガラス３０，４０と、フロントピラー５０，６０と、を備える。また、２１，２２は、ウインドシールドガラス２０の周辺部に印刷形成される遮光性の黒セラ（黒セラミック）部である。
【００１１】
車両１において、視認者（主に運転者）は、ウインドシールドガラス２０（黒セラ部２１の部分を除く）とサイドガラス３０，４０が配置される領域では風景を直接視認する一方、フロントピラー５０，６０と黒セラ部２１，２２が配置される領域ではフロントピラー５０，６０と黒セラ部２１，２２とによって視認者の視界が遮られ、風景を直接視認することができない死角領域が生じる。すなわち、フロントピラー５０，６０と黒セラ部２１，２２とは、本発明における障害物に該当する。
【００１２】
次に、図１〜図３に基づいて本実施形態に係る死角補助装置１００の基本構成について説明する。なお、図２は、死角補助装置１００の概観を示す平面図であり、図３は、一対の平行平面ミラー１１０を示す斜視図である。
死角補助装置１００は、図１及び図２に示すように、視認者側から見て右側（運転者側）のフロントピラー５０に配置され、フロントピラー５０及び黒セラ部２１によって遮られる死角領域Ｄの像を映すものである。なお、死角補助装置１００は、視認者から見てフロントピラー５０及び黒セラ部２１と対向するように配置される。
【００１３】
死角補助装置１００は、図２及び図３に示すように、一対の平行平面ミラー（一対のミラー）１１０を備える。
【００１４】
一対の平行平面ミラー１１０は、入射した光の一部を反射し一部を透過する半透過平面ミラー（半透過ミラー）１１１と、平面ミラー（ミラー）１１２とが互いに平行に対向するように配置されることによって構成される。なお、半透過平面ミラー１１１と平面ミラー１１２は後述するケース体に配置されることで平行な位置関係で固定される。なお、本発明の一対のミラーは、互いに対向するように配置されるものであれば完全な平行に配置されなくともよく、また、平面ミラーでなく曲面ミラーであってもよい。
【００１５】
半透過平面ミラー１１１は、視認者側に配置され、例えばポリエチレンテレフタレート、ポリカーボネート、ポリエチレン、アクリル等の透光性の樹脂材料からなる基材の表面にアルミなどの金属を蒸着させることにより、所望の反射率を有する半透過反射層を形成ししてなる。なお、半透過平面ミラー１１１は、基材の表面に誘電体多層膜をコーティングして形成してもよい。半透過平面ミラー１１１は、平面ミラー１１２と対向する基部１１１ａと基部１１１ａから延設される延設部１１１ｂとを有し、半透過平面ミラー１１１と平面ミラー１１２とが水平方向に段違い状となるように配置される。
【００１６】
平面ミラー１１２は、その平面（反射面）が半透過平面ミラー１１１の平面（半透過反射面）と平行となるように配置されるものであり、例えば上述の透光性樹脂材料からなる基材の表面にアルミなどの金属を蒸着させてなる平面アルミ蒸着ミラーである。また、平面ミラー１１２は、側面から側方に突出する複数の突出部１１２ａを有する。本実施形態では、突出部１１２ａは、上側面に２つ、下側面に２つの合計４つが設けられている。
【００１７】
半透過平面ミラー１１１と平面ミラー１１２とは、それぞれの平面（半透過反射面及び反射面）が、一対の平行平面ミラー１１０における光Ｌの進行方向（図３における矢印方向）に対して垂直方向の幅が一対の平行平面ミラー１１０における光Ｌの進行方向に向かって徐々に小さくなるように、略楔状に形成されている。視認者の視野範囲から外れる不要個所を除去して小型化及び軽量化するためである。また、半透過平面ミラー１１１の入射側端部（入射側の側辺）Ｅ１０と、平面ミラー１１２の入射側端部（入射側の側辺）Ｅ１１とは、ウインドシールドガラス２０のガラス面に沿って傾斜している。ウインドシールドガラス２０のガラス面に近接して配置させるためである。
【００１８】
次に、図２を用いて、一対の平行平面ミラー１１０の作用について説明する。なお、図２は、視認者が運転席に着座した状態を示しており、視点２は視認者の視点（アイポイント）を示している。
【００１９】
図２において、視認者（視点２）の前方視界には、フロントピラー５０（図示しないが黒セラ部２１も含む）によって遮られる死角領域Ｄが生じる。したがって、視点２からは死角領域Ｄに存在する物体Ｍを直接視認することができない。
一方、物体Ｍからの光Ｌは、一対の平行平面ミラー１１０に入射し、一対の平行平面ミラー１１０の間で反射を繰り返しつつ、一部の光Ｌは一対の平行平面ミラー１１０から出射する（半透過平面ミラー１１１を透過する）。なお、一対の平行平面ミラー１１０に入射し、一対の平行平面ミラー１１０の間で反射を繰り返すのは一対の平行平面ミラー１１０の平行な平面に対して傾きを有する光である。一対の平行平面ミラー１１０から出射する光Ｌの一部は、視点２に達する。したがって、視点２からは直接視認できる風景と連続して平面ミラー１１２に映る物体Ｍの像を半透過平面ミラー１１１越しに視認することができる。なお、死角領域Ｄのうちフロントピラー５０の背面側の僅かな領域（ハッチングで示す部分）は、この領域からの光が一対の平行平面ミラー１１０に入射できず、その像を一対の平行平面ミラー１１０によって映すことができないが、それ以外の殆どの領域において死角領域Ｄの像を一対の平行平面ミラー１１０によって映すことができる。
なお、死角領域Ｄの像を一対の平行平面ミラー１１０によって映すにあたって、視認者は、死角補助装置１００をフロントピラー５０の任意の高さ（視点２に合った高さ）に、一対の平行平面ミラー１１０に死角領域Ｄの像が映るように、すなわち、死角領域Ｄからの光Ｌが視点２に達するように一対の平行平面ミラー１１０の角度を調整して配置する。半透過平面ミラー１１１と平面ミラー１１２とは互いの位置関係が平行に固定されるため、一度の配置作業で一対の平行平面ミラー１１０を同時に配置することができ、また、一度の調整作業で一対の平行平面ミラー１１０の角度を同時に調整することができる。
【００２０】
次に、死角補助装置１００の外装構造について図４及び図５を用いて説明する。
【００２１】
図４及び図５に示すように、死角補助装置１００は、一対の平行平面ミラー１１０と、ケース体１２０と、を備える。なお、図４は死角補助装置１００の分解斜視図であり、図５（ａ）は図４のＸ−Ｘ断面図であり、図５（ｂ）は、一対の平行平面ミラー１１０をケース体１２０に収納した状態を示す図である。図４及び図５においては、視認者から見て手前側を「前」、奥行き側を「後」として説明する。
【００２２】
ケース体１２０は、一対の平行平面ミラー１１０を収納するものであって、後ケース（第一のケース）１２１と、前ケース（第二のケース）１２２と、を備える。
【００２３】
後ケース１２１は、ＡＢＳなどの遮光性の樹脂材料からなり、後壁部１２１ａと内側天壁部１２１ｂと内側底壁部１２１ｃとを一体的に形成してなる出射側の側方から見て略コの字状（逆Ｃの字状）の部材である。後壁部１２１ａには、内側天壁部１２１ｂ及び内側底壁部１２１ｃの間に位置するように平面ミラー１１２が配置される。内側天壁部１２１ｂ及び内側底壁部１２１ｃは、後壁部１２１ａの上側及び下側から前方側に互いに対向するように延設され、本発明の一対の内壁部として機能する。内側天壁部１２１ｂ及び内側底壁部１２１ｃは、その解放端部１２１ｄ及び１２１ｅに半透過平面ミラー１１１が平面ミラー１１２と平行となるように載置される。また、内側天壁部１２１ｂ及び内側底壁部１２１ｃには、平面ミラー１１２の突出部１１２ａに対応する複数の切り欠き部１２１ｆが形成されている。本実施形態では、切り欠き部１２１ｆは、内側天壁部１２１ｂに２つ、内側底壁部１２１ｃに２つの合計４つが設けられている。切り欠き部１２１ｆの各々は、内側天壁部１２１ｂ及び内側底壁部１２１ｃの解放端部１２１ｄ及び１２１ｅから後壁部１２１ａに至るスリット状に形成される。また、内側天壁部１２１ｂ及び内側底壁部１２１ｃには、その外面に係止突起１２１ｇが設けられている。また、後壁部１２１ａの上端及び下端には内側天壁部１２１ｂ及び内側底壁部１２１ｃから上方及び下方に突出する鍔部１２１ｈ及び１２１ｉが設けられている。
【００２４】
前ケース１２２は、後ケース１２１と同様にＡＢＳなどの遮光性の樹脂材料からなり、複数のルーバー１２２ａと外側天壁部１２２ｂと外側底壁部１２２ｃとを一体的に形成してなる枠状部材である。複数のルーバー１２２ａは、外側天壁部１２２ｂと外側底壁部１２２ｃとの間に所定間隔で設けられる平板部であり、半透過平面ミラー１１１の視認者側に位置し視認者側から所定の角度で（主として半透過平面ミラー１１１あるいは平面ミラー１１２で反射されて視点２に至る入射角度で）一対の平行平面ミラー１１０に入射する外光を遮る遮光部として機能する。外側天壁部１２２ｂ及び外側底壁部１２２ｃは、それぞれ内側天壁部１２１ｂ及び内側底壁部１２１ｃの外側を覆うように設けられ、本発明の一対の外壁部として機能する。また、外側天壁部１２２ｂ及び外側底壁部１２２ｃは、上側あるいは下側から一対の平行平面ミラー１１０に入射する外光を遮る遮光壁の役割を有している。また、外側天壁部１２２ｂ及び外側底壁部１２２ｃには、後ケース１２１の切り欠き部１２１ｆに対応する複数の切り欠き部（第一の当接部）１２２ｄが形成されている。本実施形態では、切り欠き部１２２ｄは、外側天壁部１２２ｂに２つ、外側底壁部１２２ｃに２つの合計４つが設けられている。切り欠き部１２２ｄの各々は、外側天壁部１２２ｂ及び外側底壁部１２２ｃの後端から前端に向かって切り欠き形成され、前ケース１２２を後ケース１２１に組み付けた際にその前面が平面ミラー１１２の突出部１１２ａと当接する形状及び高さで形成される。また、外側天壁部１２２ｂ及び外側底壁部１２２ｃには、内側天壁部１２１ｂ及び内側底壁部１２１ｃの解放端部１２１ｄ及び１２１ｅと対向するように段差部（第二の当接部）１２２ｅ及び１２２ｆが設けられている。段差部１２２ｅ及び１２２ｆは、前ケース１２２を後ケース１２１に組み付けた際に半透過平面ミラー１１１の周縁部と当接する位置に形成される。また、外側天壁部１２２ｂ及び外側底壁部１２２ｃには係止突起１２１ｇに対応する係止孔部１２２ｇが設けられている。
【００２５】
（一対の平行平面ミラー１１０の収納及び固定方法）
まず、平面ミラー１１２を突出部１１２ａが切り欠き部１２１ｆに挿通されるようにして後ケース１２１の後壁部１２１ａに配置する。このように配置された平面ミラー１１２は、内側天壁部１２１ｂと内側底壁部１２１ｃとの間に位置し、突出部１１２ａが切り欠き部１２１ｆから外側に突出した状態となる。また、突出部１１２ａはその後面が鍔部１２１ｈ及び１２１ｉに当接する。
次に、半透過平面ミラー１１１を内側天壁部１２１ｂ及び内側底壁部１２１ｃの解放端部１２１ｄ及び１２１ｅに配置する。
次に、前ケース１２２を外側天壁部１２２ｂ及び外側底壁部１２２ｃが内側天壁部１２１ｂ及び内側底壁部１２１ｃの外側を覆うように後ケース１２１に嵌め合わせる。このとき、内側天壁部１２１ｂ及び内側底壁部１２１ｃの係止突起１２１ｇが外側天壁部１２２ｂ及び外側底壁部１２２ｃの係止孔部１２２ｇに係止されることで前ケース１２２が後ケース１２１に対して固定される。このように前ケース１２２を後ケース１２１に組み付けると、前ケース１２２の切り欠き部１２２ｄの前面が平面ミラー１１２の突出部１１２ａと当接し、突出部１１２ａを後ケース１２１の鍔部１２１ｈ及び１２１ｉに押圧して切り欠き部１２２ｄと鍔部１２１ｈ及び１２１ｉとで突出部１１２ａを狭持した状態となる。前ケース１２２による押圧により、平面ミラー１１２は後ケース１２１に対して強固に固定され、また、上端及び下端の突出部１１２ａが押圧されることで歪みが抑制される。また同様に前ケース１２２を後ケース１２１に組み付けると、後ケース１２１の内側天壁部１２１ｂ及び内側底壁部１２１ｃの解放端部１２１ｄ及び１２１ｅと前ケース１２２の段差部１２２ｅ及び１２２ｆとで半透過平面ミラー１１１が狭持される。なお、このとき前ケースの段差部１２２ｅ及び１２２ｆで半透過平面ミラー１１１の周縁部が後ケース１２１の内側天壁部１２１ｂ及び内側底壁部１２１ｃの解放端部１２１ｄ及び１２１ｅに押圧されるようにする。後ケース１２１と前ケース１２２との狭持により、半透過平面ミラー１１１は後ケース１２１に対して強固に固定され、また、上縁及び下縁が押圧されることで歪みが抑制される。
【００２６】
以上の構成からなる死角補助装置１００は、障害物（フロントピラー５０）によって遮られる死角領域Ｄの像を映す死角補助装置１００であって、
前記像を表す光Ｌを入射し、視認者側に設けられ光Ｌの一部を反射し一部を透過する半透過平面ミラー１１１と、光Ｌを半透過平面ミラー１１１へ反射する平面ミラー１１２とが互いに対向するように配置される一対の平行平面ミラー１１０と、
一対の平行平面ミラー１１０を収納し、互いに対向する一対の内壁部（内側天壁部１２１ｂ及び内側底壁部１２１ｃ）と前記一対の内壁部に複数形成される切り欠き部１２１ｆとを有する後ケース１２１と、前記一対の内壁部の外側を覆う一対の外壁部（外側天壁部１２２ｂ及び外側底壁部１２２ｃ）を有する前ケース１２２と、を備えるケース体１２０と、を備え、
平面ミラー１１２は、前記一対の内壁部の間に配置され、切り欠き部１２１ｆから外側に突出する複数の突出部１１２ａを有し、
前ケース１２２は、前記一対の外壁部に突出部１１２ａと当接して後ケース１２１に対して押圧する第一の当接部（切り欠き部１２２ｄ）を備えてなる。
【００２７】
これにより、一対の平行平面ミラー１１０の一方に半透過平面ミラー１１１を用いたため、視認者は半透過平面ミラー１１１越しに平面ミラー１１２に映る物体Ｍの像及び風景を視認することができ、一対の平行平面ミラー１１０の配置位置の自由度が増し、より容易に視認者が直接視認する像（風景）と連続して死角領域Ｄの像を映すことが可能となる。また、死角領域Ｄを撮像するカメラ及び撮像画像を表示する表示器が不要であるためこれらを使用する場合と比較して安価である。また、前ケース１２２で平面ミラー１１２を後ケース１２１に押圧することによって、平面ミラー１１２の歪みを抑制して歪みのない像を映すことができる。また、接着材や両面テープなどを用いる場合と比較して各部の組み付け作業が容易で作業性が良い。
【００２８】
また、半透過平面ミラー１１１は、前記一対の内壁部の解放端部１２１ｄ及び１２１ｅに配置され、
前ケース１２２は、前記一対の外壁部に半透過平面ミラー１１１の周縁部を前記一対の内壁部の解放端部１２１ｄ及び１２１ｅと狭持する第二の当接部（段差部１２２ｅ及び１２２ｆ）を備えてなる。
これによれば、後ケース１２１と前ケース１２２とで半透過平面ミラー１１１を狭持することによって、半透過平面ミラー１１１の歪みを抑制して歪みのない像を映すことができる。また、接着材や両面テープなどを用いる場合と比較して各部の組み付け作業が容易で作業性が良い。
【００２９】
次に、本発明の第二の実施形態について図６を用いて説明する。なお、前述の実施形態と同一あるいは相当箇所には同一符号を付してその詳細な説明を省略する。
【００３０】
本第二の実施形態である死角補助装置１０１が、前述の実施形態と異なる点はその外装構造である。死角補助装置１０１は、図６に示すように、一対の平行平面ミラー１１０と、ケース体１３０と、を備える。なお、図６（ａ）は、死角補助装置１０１を示す分解断面図であり、図６（ｂ）は、一対の平行平面ミラー１１０をケース体１３０に収納した状態を示す断面図である。図６においては、視認者側からみて手前側を「前」、奥行き側を「後」として説明する。
【００３１】
ケース体１３０は、一対の平行平面ミラー１１０を収納するものであって、後ケース（第二のケース）１３１と、前ケース（第一のケース）１３２と、を備える。
【００３２】
半透過平面ミラー１１１は、側面から側方に突出する複数の突出部１１１ｃを有する。本実施形態では、突出部１１１ｃは、上側面に２つ、下側面に２つの合計４つが設けられているものとする。
【００３３】
後ケース１３１は、ＡＢＳなどの遮光性の樹脂材料からなり、後壁部１３１ａと外側天壁部１３１ｂと外側底壁部１３１ｃとを一体的に形成してなる出射側の側方から見て略コの字状（逆Ｃの字状）の部材である。外側天壁部１３１ｂ及び外側底壁部１３１ｃは、それぞれ前ケース１３２の内側天壁部１３２ｂ及び内側底壁部１３２ｃの外側を覆うように設けられ、本発明の一対の外壁部として機能する。また、外側天壁部１３１ｂ及び外側底壁部１３１ｃは、上側あるいは下側から一対の平行平面ミラー１１０に入射する外光を遮る遮光壁の役割を有している。また、外側天壁部１３１ｂ及び外側底壁部１３１ｃには、前ケース１３２の切り欠き部１３２ｈに対応する複数の切り欠き部（第一の当接部）１３１ｄが形成されている。本実施形態では、切り欠き部１３１ｄは、外側天壁部１３１ｂに２つ、外側底壁部１３１ｃに２つの合計４つが設けられているものとする。切り欠き部１３１ｄの各々は、外側天壁部１３１ｂ及び外側底壁部１３１ｃの前端から後壁部１３１ａに向かって切り欠き形成され、後ケース１３１を前ケース１３２に組み付けた際にその後面が半透過平面ミラー１１１の突出部１１１ｃと当接する形状及び高さで形成される。また、後壁部１３１ａは、外側天壁部１３１ｂ及び外側底壁部１３１ｃの間に設けられ、後ケース１３１を前ケース１３２に組み付けた際に平面ミラー１１２の周縁部と当接し、本発明の第二の当接部として機能する。
【００３４】
前ケース１３２は、後ケース１２１と同様にＡＢＳなどの遮光性の樹脂材料からなり、複数のルーバー１３２ａと内側天壁部１３２ｂと内側底壁部１３２ｃとを一体的に形成してなる枠状部材である。複数のルーバー１３２ａは、内側天壁部１３２ｂと内側底壁部１３２ｃとの間に所定間隔で設けられる平板部であり、半透過平面ミラー１１１の視認者側に位置し視認者側から所定の角度で（主として半透過平面ミラー１１１あるいは平面ミラー１１２で反射されて視点２に至る入射角度で）一対の平行平面ミラー１１０に入射する外光を遮る遮光部として機能する。内側天壁部１３２ｂ及び内側底壁部１３２ｃは、互いに対向するように設けられ、本発明の一対の内壁部として機能する。内側天壁部１３２ｂ及び内側底壁部１３２ｃには、半透過平面ミラー１１１が配置される段差部１３２ｄ及び１３２ｅが設けられている。また、内側天壁部１３２ｂ及び内側底壁部１３２ｃは、その解放端部１３２ｆ及び１３２ｇに平面ミラー１１２が半透過平面ミラー１１１と平行となるように載置される。また、内側天壁部１３２ｂ及び内側底壁部１３２ｃには、半透過平面ミラー１１１の突出部１１１ｃに対応する複数の切り欠き部１３２ｈが形成されている。本実施形態では、切り欠き部１３２ｈは、内側天壁部１３２ｂに２つ、内側底壁部１３２ｃに２つの合計４つが設けられているものとする。切り欠き部１３２ｈの各々は、内側天壁部１３２ｂ及び内側底壁部１３２ｃの解放端部１３２ｆ及び１３２ｇから段差部１３２ｄ及び１３２ｅに至るスリット状に形成される。また、内側天壁部１３２ｂ及び内側底壁部１３２ｃの外面には、切り欠き部１３２ｈから上側及び下側に突出するように鍔部１３２ｉ及び１３２ｊが設けられている。鍔部１３２ｉ及び１３２ｊは、前後方向の位置が段差部１３２ｄ及び１３２ｅと一致するように形成される。
【００３５】
（一対の平行平面ミラー１１０の収納及び固定方法）
まず、半透過平面ミラー１１１を突出部１１１ｃが切り欠き部１３２ｈに挿通されるようにして前ケース１３２の段差部１３２ｄ及び１３２ｅに配置する。このように配置された半透過平面ミラー１１１は、内側天壁部１３２ｂと内側底壁部１３２ｃとの間に位置し、突出部１１１ｃが切り欠き部１３２ｈから外側に突出した状態となる。また、突出部１１ｃはその前面が鍔部１３２ｉ及び１３２ｊと当接する。
次に、平面ミラー１１２を内側天壁部１３２ｂ及び内側底壁部１３２ｃの解放端部１３２ｆ及び１３２ｇに配置する。
次に、後ケース１３１を外側天壁部１３１ｂ及び外側底壁部１３１ｃが内側天壁部１３２ｂ及び内側底壁部１３２ｃの外側を覆うように前ケース１３２に嵌め合わせる。このとき、内側天壁部１３２ｂ及び内側底壁部１３２ｃの外面に設けられる係止突起（図示しない）が外側天壁部１３１ｂ及び外側底壁部１３１ｃに設けられる係止孔部（図示しない）に係止されることで後ケース１３１が前ケース１３２に対して固定される。このように後ケース１３１を前ケース１３２に組み付けると、後ケース１３１の切り欠き部１３１ｄの後面が半透過平面ミラー１１１の突出部１１１ｃの後面と当接し、突出部１１１ｃを鍔部１３２ｉ及び１３２ｊに押圧して切り欠き部１３１ｄと鍔部１３２ｉ及び１３２ｊとで突出部１１１ｃを狭持した状態となる。後ケース１３１による押圧により、半透過平面ミラー１１１は前ケース１３２に対して強固に固定され、また、上端及び下端の突出部１１１ｃが押圧されることで歪みが抑制される。また同様に後ケース１３１を前ケース１３２に組み付けると、前ケース１３２の内側天壁部１３２ｂ及び内側底壁部１３２ｃの解放端部１３２ｆ及び１３２ｇと後ケース１３１の後壁部１３１ａとで平面ミラー１１２が狭持される。なお、このとき後ケース１３１の後壁部１３１ａで平面ミラー１１２の周縁部が前ケース１３２の内側天壁部１３２ｂ及び内側底壁部１３２ｃの解放端部１３２ｆ及び１３２ｇに押圧されるようにする。前ケース１３２と後ケース１３１との狭持により、平面ミラー１１２は前ケース１３２に対して強固に固定され、また、上縁及び下縁が押圧されることで歪みが抑制される。
【００３６】
以上の構成からなる死角補助装置１０１は、障害物（フロントピラー５０）によって遮られる死角領域Ｄの像を映す死角補助装置１０１であって、
前記像を表す光Ｌを入射し、視認者側に設けられ光Ｌの一部を反射し一部を透過する半透過平面ミラー１１１と、光Ｌを半透過平面ミラー１１１へ反射する平面ミラー１１２とが互いに対向するように配置される一対の平行平面ミラー１１０と、
一対の平行平面ミラー１１０を収納し、互いに対向する一対の内壁部（内側天壁部１３２ｂ及び内側底壁部１３２ｃ）と前記一対の内壁部に複数形成される切り欠き部１３２ｈとを有する前ケース１３２と、前記一対の内壁部の外側を覆う一対の外壁部（外側天壁部１３１ｂ及び外側底壁部１３１ｃ）を有する後ケース１３１と、を備えるケース体１３０と、を備え、
半透過平面ミラー１１１は、前記一対の内壁部の間に配置され、切り欠き部１３２ｈから外側に突出する複数の突出部１１１ｃを有し、
後ケース１３１は、前記一対の外壁部に突出部１１１ｃと当接して前ケース１３２に押圧する第一の当接部（切り欠き部１３１ｄ）を備えてなる。
【００３７】
これにより、一対の平行平面ミラー１１０の一方に半透過平面ミラー１１１を用いたため、視認者は半透過平面ミラー１１１越しに平面ミラー１１２に映る物体Ｍの像及び風景を視認することができ、一対の平行平面ミラー１１０の配置位置の自由度が増し、より容易に視認者が直接視認する像（風景）と連続して死角領域Ｄの像を映すことが可能となる。また、死角領域Ｄを撮像するカメラ及び撮像画像を表示する表示器が不要であるためこれらを使用する場合と比較して安価である。また、後ケース１３１で半透過平面ミラー１１１を前ケース１３２に押圧することによって、半透過平面ミラー１１１の歪みを抑制して歪みのない像を映すことができる。また、接着材や両面テープなどを用いる場合と比較して各部の組み付け作業が容易で作業性が良い。
【００３８】
また、平面ミラー１１２は、前記一対の内壁部の解放端部１３２ｆ及び１３２ｇに配置され、
後ケース１３１は、前記一対の外壁部に平面ミラー１１２の周縁部を前記一対の内壁部の解放端部１３２ｆ及び１３２ｇと狭持する第二の当接部（後壁部１３１ａ）を備えてなる。
これによれば、前ケース１３２と後ケース１３１とで平面ミラー１１２を狭持することによって、平面ミラー１１２の歪みを抑制して歪みのない像を映すことができる。また、接着材や両面テープなどを用いる場合と比較して各部の組み付け作業が容易で作業性が良い。
【００３９】
次に、第一の実施形態の変形例について、図７〜図９を用いて説明する。なお、以下では前述の第一の実施形態と異なる点を主に説明し、第一の実施形態と同一あるいは相当個所についてはその詳細な説明を省略する。
【００４０】
変形例に係る死角補助装置１００は、前述の第一の実施形態と異なる第一の点として、図７に示すように、一対の内壁部（内側天壁部１２１ｂ及び内側底壁部１２１ｃ）に設けられ、一対の平行平面ミラー１１０の一方（平面ミラー１１２）が有する角部１１２ｂ，１１２ｃと対向するミラー押さえ部１２１ｊ，１２１ｋを備える。
【００４１】
図７（ａ）は、平面ミラー１１２と後ケース１２１（第一のケース）とを示す正面図である。図７（ｂ）は後ケース１２１の入射側下端部をＡ方向から見た図である。図７（ｃ）は後ケース１２１の出射側上端部をＢ方向から見た図である。図７（ｄ）は、図７（ａ）のＹ−Ｙ線の要部断面図である。図７（ｅ）は、図７（ａ）のＺ−Ｚ線の要部断面図である。なお、図７（ｂ）、（ｃ）では平面ミラー１１２を２点鎖線で示し、図７（ｄ）、（ｅ）では、後ケース１２１に平面ミラー１１２を配置した状態を示している。
【００４２】
平面ミラー１１２は、図７（ａ）に示すように、全体として４つの角部１１２ｂ〜１１２ｅを有する略菱形となっている。このうち鋭角となる角部１１２ｂ，１１２ｃについては特に変形（歪み）が生じやすく、変形が生じると死角補助装置１００に映る像にも歪みが生じる。これに対し、変形例に係る死角補助装置１００では、後ケース１２１の内側天壁部１２１ｂ及び内側底壁部１２１ｃの平面ミラー１１２の角部１１２ｂ，１１２ｃに対応する位置にミラー押さえ部１２１ｊ，１２１ｋをそれぞれ設けた。ミラー押さえ部１２１ｊは、図７（ｃ）及び（ｅ）に示すように、内側天壁部１２１ｂの内面から内側に突出形成される略三角形状の板状の突起部からなり、後壁部１２１ａとの間に平面ミラー１１２の厚さ寸法に相当するだけの間隔を有する。ミラー押さえ部１２１ｋは、図７（ｂ）及び（ｄ）に示すように、内側底壁部１２１ｃの内面から内側に突出形成される略三角形状の板状の突起部からなり、後壁部１２１ａとの間に平面ミラー１１２の厚さ寸法に相当するだけの間隔を有する。
平面ミラー１１２を後ケース１２１に配置する際には、平面ミラー１１２をミラー押さえ部１２１ｊ，１２１ｋを避けるように平面ミラー１１２を面方向に若干回転させた状態で後壁部１２１ａまで到達させ、その後、反対に回転させながら（スライドさせながら）平面ミラー１１２の角部１１２ｂ，１１２ｃをそれぞれミラー押さえ部１２１ｊ，１２１ｋと後壁部１２１ａとの間に挿入する。これにより、平面ミラー１１２の角部１１２ｂ、１１２ｃが前方に浮き上がろうとする（変形しようとする）場合にミラー押さえ部１２１ｊ、１２１ｋで係止されるため、平面ミラー１１２の角部１１２ｂ，１１２ｃの変形を抑制することができる。
【００４３】
変形例に係る死角補助装置１００は、前述の第一の実施形態と異なる第二の点として、図７〜図９に示すように、一対の内壁部（内側天壁部１２１ｂ及び内側底壁部１２１ｃ）に設けられ、切り欠き部１２１ｆの少なくとも一部を外側から覆うリブ部１２１ｍを備える。
【００４４】
図８は、後ケース１２１（第一のケース）に対する前ケース１２２（第二のケース）のの組み付け前のケース体１２０を示す斜視図であり、図９は、組み付け後の死角補助装置１００を示す斜視図である。
【００４５】
後ケース１２１は、内側天壁部１２１ｂ及び内側底壁部１２１ｃに切り欠き部１２１ｆを設けるのみであると、内側天壁部１２１ｂ及び内側底壁部１２１ｃが平面状であるために切り欠き部１２１ｆが形成される部分では曲げる方向の力に対して耐力がない。そのため、死角補助装置１００の反射面に対して垂直な力がケース体１２０に掛かると、切り欠き部１２１ｆを中心に変形するおそれがある。これに対し、変形例に係る死角補助装置１００においては、後ケース１２１の内側天壁部１２１ｂ及び内側底壁部１２１ｃにそれぞれ切り欠き部１２１ｆの一部（後側半分）を外側から覆うリブ部１２１ｍを設けた。リブ部１２１ｍは、内側天壁部１２１ｂ及び内側底壁部１２１ｃにそれぞれ一体的に形成され、切り欠き部１２１ｆの端部から外側に突出する２つの突出壁とこの突出壁を連結する平壁とからなる、断面が略Ｕ字状の補強部である。リブ部１２１ｍにより、ケース体１２０の剛性が増してケース体１２０の変形を抑制することができる。
【００４６】
なお、後ケース１２１にリブ部１２１ｍを設けたことに伴い、前ケース１２２の一対の外壁部（外側天壁部１２２ｂ及び外側底壁部１２２ｃ）には、平面ミラー１１２の突出部１１２ａと当接して後ケース１２１に押圧する複数の第一の当接部として、薄板部１２２ｈを設けた。薄板部１２２ｈは、外側天壁部１２２ｂ及び外側底壁部１２２ｃの後ケース１２１の切り欠き部１２１ｆに対応する個所に設けられ、外側天壁部１２２ｂ及び外側底壁部１２２ｃの他の部分よりも薄く形成される。また、薄板部１２２ｈの両脇には切り込みが設けられており、切り込みにリブ部１２１ｍが挿入される。これにより、後ケース１２１にリブ部１２１ｍを設けた場合にも、ケース体１２０を組み立てる際に後ケース１２１と前ケース１２２に干渉が生じることがない。薄板部１２２ｈは、平面ミラー１１２の突出部１１２ａを押圧する際に変形し、突出部１１２ａに掛かる過剰な力を逃がして各部材毎に累積する寸法誤差を吸収する機能を有する。
【００４７】
図９に示すように、組み立て後のケース体１２０は、平面ミラー１１２の突出部１１２ａや、前ケース１２２の薄板部１２２ｈが後ケース１２１のリブ部１２２ｍで覆われる格好となり、美観に優れるとともに、ケース体１２０内への外光の侵入を防止して視認性を向上させることができる。
【００４８】
変形例に掛かる死角補助装置１００は、前述の第一の実施形態と異なる第三の点として、図８及び図９に示すように、前ケース１２２（第二のケース）を後ケース１２１（第一のケース）に対して固定する複数の係止部１２３を備え、薄板部１２２ｈ（第一の当接部）は、複数の係止部１２３のうち２つの間に位置する。
【００４９】
係止部１２３は、後ケース１２１の一対の内壁部（内側天壁部１２１ｂ及び内側底壁部１２１ｃ）に設けられる係止突起１２１ｇと、前ケース１２２の一対の外壁部（外側天壁部１２２ｂ及び外側底壁部１２２ｃ）に設けられる係止孔部１２２ｇとからなる。係止部１２３は、内側天壁部１２１ｂ及び内側底壁部１２１ｃの係止突起１２１ｇが外側天壁部１２２ｂ及び外側底壁部１２２ｃの係止孔部１２２ｇに係止されることで前ケース１２２を後ケース１２１に対して固定する。
【００５０】
ここで、死角補助装置１００は、前ケース１２２の薄板部１２２ｈによって、平面ミラー１１２の突出部１１２ａを押圧して平面ミラー１１２を後ケース１２１に対して強固に固定するものである。そのため、前ケース１２２の薄板部１２２ｈよりも左右側端側にはその反力により押し戻す力が掛かる状態となる。この場合、長時間が経過したり、絶えず温度変化が生じたりする環境下においては、何ら対策を施さないと前ケース１２２が反力により左右端部側で徐々に変形する恐れがある。
【００５１】
これに対し、変形例に掛かる死角補助装置１００では、薄板部１２２ｈを、２つの係止部１２３の間に位置するように設けた。すなわち、薄板部１２２ｈの左右端部側には少なくとも１つの係止部１２３が設けられることとなる。上述のように、変形が生じる恐れのある薄板部１２２ｈよりも左右端部側に少なくとも１つの係止部１２４が位置するため、前ケース１２２の変形を抑制することができる。なお、薄板部１２２ｈ及び係止部１２３の個数に係わらず、１つの薄板部１２２ｈが２つの係止部１２３の間に位置するように薄板部１２２ｈ及び係止部１２３が設けられる。
【００５２】
なお、本発明は上記実施形態及び図面によって限定されるものではない。上記実施形態及び図面に変更（構成要素の削除も含む）を加えることができるのはもちろんである。本発明の突出部及び第一の当接部の個数や位置は本実施形態に限定されるものではなく、複数であればよく、上側及び下側にそれぞれ１つ以上設けられることが望ましい。また、本発明の第一の当接部は、切り欠き部１２１ｆ，１３２ｈあるいは薄板部１２２ｈに限定されるものではなく、平面部や凸部であってもよい。また、本発明の第二の当接部は、段差部１２２ｅ及び１２２ｆあるいは後壁部１３１ａに限定されるものではなく、凸部であってもよい。また、後ケース１２１あるいは１３１と前ケース１２２あるいは１３２との固定は、係止によるもののほかビスなどで固定されるものであってもよい。また、本発明のミラー押さえ部、リブ部、あるいは第一の当接部が少なくとも係止部の中央側に位置する点を第二の実施形態に係る死角補助装置１０１に適用してもよい。この場合、前ケース１３２（第一のケース）の一対の内壁部（内側天壁部１３２ｂ及び内側底壁部１３２ｃ）に半透過平面ミラー１１１の角部（特に鋭角部）と対向するミラー押さえ部が設けられる。また、内側天壁部１３２ｂ及び内側底壁部１３２ｃに、切り欠き部１３２ｈの少なくとも一部を外側から覆うリブ部が設けられる。また、後ケース１３１（第二のケース）には例えば薄板部からなる第一の当接部を設け、この第一の当接部は複数の係止部（例えば後ケース１３１に設けられる係止突起と前ケース１３２に設けられる係止孔部からなる）のうち２つの間に位置する。
【００５３】
本実施形態の死角補助装置１００，１０１は、車両１の運転席側から見て右側のフロントピラー５０に配置されるものであったが、左側のフロントピラー６０にも同様の死角補助装置が配置されてもよい。また、車両内の障害物として、フロントピラーの他にもセンターピラーやリアピラーなどに配置され、これらによって遮られる死角領域の像を映す死角補助装置であってもよい。
【００５４】
また、本発明は、車両以外の分野にも障害物によって遮られる死角領域の像を映す死角補助装置として広く適用することができる。例えば、本発明の死角補助装置を住宅に用いる場合、大面積の死角補助装置を天井に取り付けて入射部分のみを壁などから屋外に出すことで屋内に居ながら天井の死角補助装置で空の様子を見ることができ、また、天井から屋内に太陽光を導くことができる。住宅密集地や通常の窓を付けられない事情のある住宅には特に好適である。
また、例えば観光施設等の高層建築物で、高層階の床下に大面積の死角補助装置を埋め込み、光入射部分のみを屋外に出すことで、床下の死角補助装置で眼下の風景を直接足下に感じることが可能となり、建築物の高さを強調することができる。同様の効果を得るために、従来は床下に空間を設ける必要があったが、本発明の死角補助装置によれば既存の建築物にも容易に配置することができ好適である。
このほか、壁面に用いる例としては、道路に近接して塀が立っている見通しの悪い交差点などにおいて、塀の角に本発明の死角補助装置を配置することで、死角領域の歩行者や車両の存在をいち早く認識することができ、出会い頭の事故の防止に貢献することができる。
以上のように、本発明の死角補助装置は、電力などのエネルギーを必要とすることなく、これまで視認することができなかった障害物に遮られた死角領域を、光入射部分のスペースを確保するのみで広範囲に亘って障害物を透けたように視認させることができるものであり、その用途は室内外を問わず広く適用でき、健康、安全あるいは感動など多岐に亘る効果を得ることができる。
【産業上の利用可能性】
【００５５】
本発明は、障害物によって遮られる死角領域の像を映す死角補助装置に好適である。
【符号の説明】
【００５６】
１      車両
２      視点
１００、１０１      死角補助装置
１１０      一対の平行平面ミラー（一対のミラー）
１１１      半透過平面ミラー（半透過ミラー）
１１１ａ    基部
１１１ｂ    延設部
１１２      平面ミラー（ミラー）
１１２ａ    突出部
１２０      ケース体
１２１      後ケース（第一のケース）
１２１ａ    後壁部
１２１ｂ    内側天壁部
１２１ｃ    内側底壁部
１２１ｄ    解放端部
１２１ｅ    解放端部
１２１ｆ    切り欠き部
１２１ｇ    係止突起
１２１ｈ    鍔部
１２１ｉ    鍔部
１２１ｊ    ミラー押さえ部
１２１ｋ    ミラー押さえ部
１２１ｍ    リブ部
１２２      前ケース（第二のケース）
１２２ａ    ルーバー
１２２ｂ    外側天壁部
１２２ｃ    外側底壁部
１２２ｄ    切り欠き部（第一の当接部）
１２２ｅ    段差部（第二の当接部）
１２２ｆ    段差部（第二の当接部）
１２２ｇ    係止孔部
１２３      係止部
１３０      ケース体
１３１      後ケース（第二のケース）
１３１ａ    後壁部（第二の当接部）
１３１ｂ    外側天壁部
１３１ｃ    外側底壁部
１３１ｄ    切り欠き部（第一の当接部）
１３２      前ケース（第一のケース）
１３２ａ    ルーバー
１３２ｂ    内側天壁部
１３２ｃ    内側底壁部
１３２ｄ    段差部
１３２ｅ    段差部
１３２ｆ    解放端部
１３２ｇ    解放端部
１３２ｈ    切り欠き部
１３２ｉ    鍔部
１３２ｊ    鍔部
【図１】
2016026945.tif 000003
【図２】
2016026945.tif 000004
【図３】
2016026945.tif 000005
【図４】
2016026945.tif 000006
【図５】
2016026945.tif 000007
【図６】
2016026945.tif 000008
【図７】
2016026945.tif 000009
【図８】
2016026945.tif 000010
【図９】
2016026945.tif 000011